(57)【特許請求の範囲】
【請求項１】
蓋を被着する開口した上端部と閉塞されている底の下端部との間に、外周へ突出した鍔を有する円筒状容器であって、前記円筒状容器は、側周面の上端から外周に突出したリング状の蓋被着部と、その蓋被着部の外縁から下端部に向かって延出した接続部と、その接続部の下端から外周へ突出した鍔とが形成されており、前記鍔に連結紐の係止部が円筒の軸線周りに等角度で放射状に突設されると共に、前記係止部の外縁に近い部分が前記係止部の前記接続部の下端に近い部分に比べて高く形成されている一対の容器を、前記鍔が前記軸線と平行な方向に対向するように互いの底を合わせて重合した状態で、前記連結紐が互いの係止部を襷掛けに結着されており、襷掛けした連結紐の前記軸線と平行な方向の中央部の周囲を周回した緊締紐で緊張されていることを特徴とする包装用容器。
【請求項２】
前記係止部の外縁に近い部分の円周方向の幅が前記係止部の前記接続部の下端に近い部分の円周方向の幅に比べて、長くなっていることを特徴とする請求項１に記載の包装用容器。
【請求項３】
底面に凹部と凸部が形成してあり、前記鍔に設けた係止部と対応して、同一角度、同一円周上に交互に、凹部と凸部が互いに嵌合する凹凸形状としたことを特徴とする請求項１又は２に記載の包装用容器。
【請求項４】
底面に凹部と凸部が形成してあり、直径方向に並行に連続し、凹部と凸部が嵌合する形状としたことを特徴とする請求項１又は２に記載の包装用容器。
【発明の詳細な説明】
【技術分野】
【０００１】
本発明は包装用容器に関するものであり、主として食品の包装への利用に多く用いられる容器に関する。
【背景技術】
【０００２】
食品における例えば菓子の中で、水羊羹やゼリー（動物系のゼラチンや、植物系のペクチン・寒天・カラギーナンなどのゲル化剤で凝固させた形態の菓子を称する。）等は、容器に封入されて販売されているものが多く見られる。
【０００３】
そこで、この種の菓子製品は、広く大きく開口した面から垂状に周囲を狭くして頂部を形成した容器へ、当該容器の開口した面からゼリー等の原料を注入して収容し、開口した面を密着蓋やフィルムで密封する工程で製造されるのが一般的である。そして、通常は開口した密着蓋やフィルムで密封した面を上面として、販売店舗内での展示や包装箱詰めを行なっている。
【０００４】
一方、商品の展示を良好にする目的で、本願出願人は、特許文献１に示す包装用容器について出願した。特許文献１の包装用容器は、開口した上端部に、蓋であるフィルムを被着する外周へ突出した蓋当着用鍔を有する円筒状容器であって、当該鍔に複数の連結紐体の係止部を等角度で突設した一対の同一の容器を、係止部が対向するように互いの底を合わせて重合し、連結紐を互いの係止部を襷掛けに結着し、襷掛けした連結紐の中央部の周囲に緊締紐を周回して緊張させたものである。
【先行技術文献】
【特許文献】
【０００５】
【特許文献１】特開２０１４‐２０１３１０号公報
【発明の概要】
【発明が解決しようとする課題】
【０００６】
特許文献１の包装用容器は、トレーシール装置によって、連続的に開口した上端部にフィルムが当着される。フィルムは包装用容器の上端の外縁より少し大きくなっており、包装用容器の上端部の外側にはみ出た状態となる。さらに、フィルムには、フィルムを取り外す際に指で摘まむための突出片も形成されている。
【０００７】
このようなフィルムが突設した係止部も含めて鍔全体を覆うことになってしまい、上面視でみるとフィルムの下にある係止部はフィルムから突出していない状態となる。そのため、係止部に連結紐体を引掛けにくくなるという問題があった。
【０００８】
特許文献１の出願後に、本願出願人は特願２０１４−１４５７８７号の特許出願を行った。特許文献１では円筒状容器に設けられていた係止部が、特願２０１４−１４５７８７号では化粧蓋に設けられている。特願２０１４−１４５７８７号では、化粧蓋の係止部は、フィルムに覆われることはない。
【０００９】
しかし、特願２０１４−１４５７８７号では、複数の係止部から順次連結紐を取り外していくと、係止部に引掛けられている連結紐が少なくなっていく。少なくなった連結紐の張力によって、軽量の化粧蓋が飛ばされてしまうことがある。例えば、飛ばされた蓋が目などに当たった場合は重大な事故が発生する可能性があるという問題があった。
【００１０】
特願２０１４−１４５７８７号では、化粧蓋は、円筒状容器に対して円筒の軸線周りに自由に回動するので、係止部を適切な位置の状態で連結紐を結着するために、挟持した化粧蓋を位置決めした上で連結紐を結着する必要があり、手間がかかるという問題があった。
【００１１】
そこで、本発明は、蓋であるフィルムが当着された状態でも、容易に係止部に連結紐を引掛けて結着することができ、一対の同一の容器を互いの底を合わせて重合した状態を維持できる包装用容器を提供することを目的とする。
【課題を解決するための手段】
【００１２】
上記課題を解決するため、請求項１の包装用容器は、蓋を被着する開口した上端部と閉塞されている底の下端部との間に、外周へ突出した鍔を有する円筒状容器であって、前記円筒状容器は、側周面の上端から外周に突出したリング状の蓋被着部と、その蓋被着部の外縁から下端部に向かって延出した接続部と、その接続部の下端から外周へ突出した鍔とが形成されており、前記鍔に連結紐の係止部が円筒の軸線周りに等角度で放射状に突設されると共に、前記係止部の外縁に近い部分が前記係止部の前記接続部の下端に近い部分に比べて高く形成されている一対の容器を、前記鍔が前記軸線と平行な方向に対向するように互いの底を合わせて重合した状態で、前記連結紐が互いの係止部を襷掛けに結着されており、襷掛けした連結紐の前記軸線と平行な方向の中央部の周囲を周回した緊締紐で緊張されているものである。
【００１３】
請求項１の包装用容器によれば、上端部と閉塞されている底の下端部との間に、外周へ突出した鍔を有するので、蓋であるフィルムを開口した上端部に被着しても、鍔がフィルムに覆われることがない。そのため、蓋であるフィルムの被着の影響がなく、容易に鍔の係止部に連結紐を引掛けて結着することができる。
【００１４】
また、蓋であるフィルムを被着するために十分な面を有する蓋被着部を有しつつ、接続部によって蓋被着部とは離れた位置に鍔を有する。また、リング状の蓋被着部、接続部及び鍔を有する円筒状容器を一体成型が可能である。
【００１５】
そして、同一の容器を、係止部が軸線と平行な方向に対向するように互いの底を合わせて重合し、連結紐を互いの係止部を襷掛けに結着した場合、一旦、係止部に引掛けられた連結紐は、連結紐の張力によって、係止部の接続部の下端に近い部分に向かって引っ張られる。さらに、襷掛けした連結紐の中央部の周囲に緊締紐を周回して緊張させたことによって、係止部の接続部の下端に近い部分に向かって付勢される。
【００１６】
請求項２の包装用容器は、請求項１の包装用容器において、前記係止部の外縁の円周方向の幅が前記係止部の前記接続部の下端に近い部分の円周方向の幅に比べて、長くなっている。
【００１７】
請求項２によれば、請求項１の包装用容器と同様に作用する上に、一旦係止部に引掛けられた連結紐は、連結紐の張力によって係止部の接続部の下端に近い部分に向かって付勢される。
【００１８】
請求項３の包装用容器は、請求項１又は２の包装用容器において、前記円筒状容器は、底面に凹部と凸部が形成してあり、前記鍔に設けた係止部と対応して、同一角度、同一円周上に交互に、凹部と凸部が互いに嵌合する凹凸形状とした。
【００１９】
請求項４の包装用容器は、請求項１又は２の包装用容器において、底面に凹部と凸部が形成してあり、直径方向に並行に連続し、凹部と凸部が嵌合する形状とした。
【００２０】
請求項３及び４の包装用容器によれば、請求項１又は２の何れかの包装用容器と同様に作用する上に、同一の容器を、係止部が軸線と平行な方向に対向するように互いの底を合わせて重合すれば、係止部を適切な位置の状態で位置決めされる。
【発明の効果】
【００２１】
請求項１の発明は、蓋であるフィルムが当着された状態でも、容易に係止部に連結紐を引掛けて結着することができ、一対の同一の容器を互いの底を合わせて重合した状態を維持できる効果を発揮するものである。
【００２２】
また、蓋であるフィルムの安定した被着を実現できる効果を発揮するものである。また、部品点数を増やすことなく、円筒状容器の低コストで大量生産が可能となるという効果を発揮するものである。
【００２３】
さらに、意図しない接触によって、連結紐が係止部から外れてしまうことを抑制できる効果を発揮するものである。
【００２４】
請求項２の発明は、請求項１の発明の効果に加えて、意図しない接触によって、連結紐が係止部から外れてしまうことを抑制できる効果を発揮するものである。
【００２５】
請求項３の発明は、請求項１又は２の発明の効果に加えて、互いの凹部と凸部が嵌合するように底面を重合すれば、係止部も対応して配置されることになる。さらに、重合した互いの底面の凹部と凸部が嵌合することで、底面同士の水平方向の滑りやズレを完全に防止する効果を発揮するものである。
【００２６】
請求項４の発明は、請求項１又は２の発明の効果に加えて、互いの凹部と凸部が嵌合するように底面を重合すれば、係止部も対応して配置されることになる。さらに、重合した互いの底面の凹部と凸部が嵌合することで、凹凸線に対する直角の方向への横滑りやズレを完全に防止する効果を発揮するものである。
【図面の簡単な説明】
【００２７】
【図１】本発明の一実施の形態の２個の包装用容器を互いの底を合わせて重合して一体化させた状態を示す正面図である。
【図２】図１の包装用容器の平面図であり、蓋を取り除いた状態を示す。
【図３】図２のＡ−Ａ断面線の断面図である。
【図４】底の実施の形態を示す底面図である。
【図５】底の他の実施の形態を示す正面図である。
【図６】係止部の他の実施の形態を示す平面図及び断面図である。
【発明を実施するための形態】
【００２８】
本発明の実施の形態を図面に基づいて説明する。
【００２９】
本発明の包装用容器１ａ，１ｂは、図１〜図３に示すように、それぞれ、上端部が開口している側周面１１と側周面１１の下端部を閉塞する底１２とを有する円筒状容器である。包装用容器１ａ，１ｂは同一形状である。以下の説明において軸線とは、円筒状容器の軸線を示すものとする。
【００３０】
包装用容器１ａ，１ｂは円筒状容器の側周面１１の上端から外周に突出したリング状の蓋被着部１３と、その蓋被着部１３の外縁から下端部に向かって延出する接続部１４と、その接続部１４の下端から外周へ突出した鍔２とを有する。つまり、鍔２は上端部と下端部との間において外周へ突出している状態となっている。
【００３１】
包装用容器１ａ，１ｂは、開口した上端部から例えばゼリー等の原料を注入して収容し、図１に示すように開口した上端部の蓋被着部１３に蓋であるフィルム３が当着して密封される。
【００３２】
包装用容器１ａ，１ｂのそれぞれの鍔２には、６箇所の係止部２１が軸線周りに等角度で放射状に突設されている。
【００３３】
一対の包装用容器１ａ，１ｂを一体に固定する状態について図１を用いて説明する。一対の包装用容器１ａ，１ｂにおいて、包装用容器１ａ，１ｂの鍔２同士がそれぞれ軸線と平行な方向に対向するように一対の包装用容器１ａ，１ｂの互いの底１２，１２を合わせて重合する。
【００３４】
連結紐４を上の包装用容器１ａの鍔２の係止部２１及び下の包装用容器１ｂの鍔２の係止部２１に交互に引掛けて、連結紐４が襷掛け状になった状態で連結紐４の両端部を結着し、一対の包装用容器１ａ，１ｂを一体に固定している。
【００３５】
更に掛設した連結紐４の軸線と平行な方向の中央部の周囲に緊締紐５を周回して緊締紐５の両端部を結着して連結紐４を緊張させ、重合した一対の包装用容器１ａ，１ｂの一体化を強固にしている。
【００３６】
図１に示すように、包装用容器１ａ，１ｂの鍔２にそれぞれ形成された同数の係止部２１同士が軸線と平行な方向に対向している場合は、連結紐４によって重合した一対の包装用容器１ａ，１ｂは、鼓の形態に似ており、意匠的作用が顕著となる。
【００３７】
模様や色を違えた二種の連結紐４，４を使用すれば、意匠的作用が顕著と成り得る。さらに、連結紐４，４の模様や色を違えた緊締紐５を使用すれば意匠的作用がより顕著と成り得る。
【００３８】
図４は包装用容器１ａ，１ｂの底１２の一実施の形態を示し、底１２に凹部６と凸部７を、鍔２に設けた係止部２１と対応して、軸線周りに等角度で交互に設けてある。
【００３９】
底１２に形成する凹部６と凸部７は、互いの凹部６と凸部７が嵌合するものである。そのため、包装用容器１ａ，１ｂが同一形状である場合においては、軸線周りに等角度、同一円周上に交互に凹部６と凸部７が形成され、凹部６及び凸部７の合計個数は偶数となる。
【００４０】
互いの凹部６と凸部７が嵌合するように底１２，１２同士を重合すれば、係止部２１も対応して配置される。さらに、重合した互いの底１２の凹部６と凸部７とが嵌合することで、重合した底１２，１２同士の水平方向の滑りやズレを完全に防止する作用を奏するものである。
【００４１】
図４（ａ）は、底１２の周囲に沿って略長円形の凹部６と凸部７を交互に軸線周りに等角度で配置したものである。図４（ｂ）は、放射線状に略扇形の凹部６と凸部７を交互に軸線周りに等角度で配置したものである。
【００４２】
図５は包装用容器１ａ，１ｂの底面の他の実施の形態を示し、底１２の直径方向に並行に連続した同一波形で、凹部６と凸部７を形成したものであり、同一幅の波形であって、凹部６と凸部７が嵌合する形状としたものである。
【００４３】
したがって、一対の包装用容器１ａ，１ｂの一方を１８０度回転して、底１２、１２同士を重合すれば、互いの底１２，１２の凹部６と凸部７が嵌合することで、凹凸方向線に対する直角の方向への滑りやズレを完全に防止することができる。波形は段部形状の凹凸部であってもよい。
【００４４】
上記実施形態では、包装用容器１ａ，１ｂが同一形状である場合について説明したが、これに限定されることなく、重合した一対の包装用容器を一体化できるのであれば、一対の包装容器は同一形状でなくてもよい。
【００４５】
上記実施形態では、６箇所の係止部２１が突設されている場合について説明したが、これに限定されることなく、６か所以外の複数個所であってもよい。
【００４６】
上記実施形態では、係止部２１は図１〜３に示す形状である場合について説明したが、これに限定されることなく、図６の（ａ）に示すように、係止部２１の外縁に近い部分が係止部２１の接続部１４の下端に近い部分に比べて、高くなっていてもよく、図６の（ｂ）に示すように、係止部２１の外縁に近い部分の円周方向の幅Ｌ１が係止部２１の接続部１４の下端に近い部分の円周方向の幅Ｌ２に比べて、長くなっていてもよい。また、本出願人の出願による特開２０１４‐２０１３１０号公報記載の係止部の形状や、特願２０１４−１４５７８７号に記載の係止部の形状であってもよい。
【００４７】
以上、本発明を実施の形態を図面に基づき具体的に説明したが、例えば、包装対商品象や包装容器の材質或いは具体的形状について、上記の実施形態に限定されるものではなく、発明の思想を逸脱することない範囲の他の実施の形態にも適用可能である。
【符号の説明】
【００４８】
１ａ，１ｂ  包装用容器
２          鍔
３          フィルム
４          連結紐
５          緊締紐
６          凹部
７          凸部
１１        側周面
１２        底
１３        蓋被着部
１４        接続部
２１        係止部
【図１】
0006316766.tif 000002
【図２】
0006316766.tif 000003
【図３】
0006316766.tif 000004
【図４】
0006316766.tif 000005
【図５】
0006316766.tif 000006
【図６】
0006316766.tif 000007